(57)【要約】      （修正有）【課題】ベルトループがベルトの折り返し部により引っ張られて歪んでも、外部からはその歪みがほとんど見えないような、バックルを使用しないベルトを提供する。【解決手段】ベルト本体２と、この本体の両末端に設けた折り返し部３と、この折り返し部３を開閉可能に接合する接合部材を有する、バックルを使用しないベルトである。折り返し部３は、内側部材と、この内側部材よりも長手方向に長い外側部材とを、それぞれの中央部が自由に動く状態で重ねて固定してなる。外側部材が折り曲げられたときに形成される第２折り曲げ部３５の内側に、内側部材が折り曲げられたときに形成される第１折り曲げ部３６が形成されている。【選択図】図５
0003177011.tif 000002
【実用新案登録請求の範囲】
【請求項１】
ベルト本体（２，２Ａ）と、この本体の両末端に設けた折り返し部（３，３Ａ）と、この折り返し部（３，３Ａ）を開閉可能に接合する接合部材（３１、３２；３１Ａ，３２Ａ）を有する、バックルを使用しないベルトであって、
前記折り返し部（３，３Ａ）は、内側部材（３４，３４Ａ）と、この内側部材（３４，３４Ａ）よりも長手方向に長い外側部材（３３，３３Ａ）とを、それぞれの部材（３３，３４；３３Ａ，３４Ａ）の中央部が自由に動く状態で重ねて固定してなり、
前記外側部材（３３，３３Ａ）が折り曲げられたときに形成される第２折り曲げ部（３５，３５Ａ）の内側に、前記内側部材（３４，３４Ａ）が折り曲げられたときに形成される第１折り曲げ部（３６，３６Ａ）が形成されていることを特徴とする、バックルを使用しないベルト。
【請求項２】
前記内側部材（３４）の少なくとも中央部が幅狭部（３７）となっている請求項１記載のベルト。
【請求項３】
前記ベルト本体（２）と前記折り返し部（３）が別部材から形成されている請求項１または２記載のベルト。
【請求項４】
前記折り返し部（３Ａ）の内外側部材（３３Ａ，３４Ａ）の何れかと前記ベルト本体（２Ａ）が同一部材により形成されている請求項１または２記載のベルト。
【考案の詳細な説明】
【技術分野】
【０００１】
本考案は、バックルを使用しないベルトに関する。
【背景技術】
【０００２】
ズボン類に使用されるベルトは、周知のように、開閉部にバックルを使用するタイプが大部分である。このようなベルトは、ズボン類の上げ下ろしや開閉の際にベルトを緩めたり締めたり、ベルトをバックルに通したり外したりする操作が必要である。しかし、低年齢の児童や老人にとってはかなり面倒であって、介添えを必要とする場合もある。
【０００３】
こうした問題を解決するため前面部にバックルを取り付けないでウエスト調整を行なえるようにしたウエスト調整ベルトが提案されている。たとえば、実用新案登録第３０８８５９２号、特開２００２−２６６１３９、実用新案登録第３１６３６１１号などである。これらは、ベルト本体の両端に折り返し部を設け、その部分で開閉可能としている。この折り返し部を開放させた状態でズボン類のベルトループを収納し、その後折り返し部を閉鎖することにより、ベルトループの収納状態を維持するものである。
【考案の概要】
【考案が解決しようとする課題】
【０００４】
前記従来技術のベルトを使用すると、添付の図５（ｂ）に示すように、ベルトループ４１がこのベルトの折り返し部３Ｘにより引っ張られて大きく歪む。使用には通常、差し障りはないが、見栄えが悪くなる。
【０００５】
この問題を解決するために、本出願人は実用新案登録第３１６７７３１号として、折り返し部の、折り返し状態における先端から接合部材の間に第１固定部を設けたことを特徴とするベルトを提案したことがある。
【０００６】
本考案は、この問題を実用新案登録第３１６７７３１号とは別の方法により解決しようとするものである。すなわち、本考案は、ベルトループがベルトの折り返し部により引っ張られて歪んでも、外部からはその歪みがほとんど見えないような、バックルを使用しないベルトを提供することを目的とする。
【課題を解決するための手段】
【０００７】
本考案は、本体と、この本体の両末端に設けた折り返し部と、この折り返し部を開閉可能に接合する接合部材を有する、バックルを使用しないベルトであって、前記折り返し部は、内側部材と、この内側部材よりも長手方向に長い外側部材とを、それぞれの中央部が自由に動く状態で重ねて固定してなり、前記外側部材が折り曲げられたときに形成される第２折り曲げ部の内側に、前記内側部材が折り曲げられたときに形成される第１折り曲げ部が形成されていることを特徴とする（請求項１）。
【０００８】
好ましくは、前記内側部材の少なくとも中央部が幅狭部となっている（請求項２）。
【０００９】
前記ベルト本体と前記折り返し部は別部材から形成してもよいし、前記ベルト本体を前記折り返し部の内外側部材の何れかと同一部材で形成してもよい（請求項３，４）。通常は、内側部材と同一部材で形成する。
【考案の効果】
【００１０】
請求項１の考案によれば、着用者の動きにより折り返し部が長手方向中央に向かって引っ張られても、ベルトループは第１固定部に接触しその位置で留まり、折り返し部の幅全体にわたって保持される。ベルトループは歪んでも折り返し部で隠されて外部からはほとんど見えない。そのため、本考案のベルトは見栄えがよい。
【００１１】
請求項２の考案によれば、内側ベルトが（もともと外部から見えにくいのであるが、）外部からほぼ完全に見えなくなるので、見栄えがよくなる。
【図面の簡単な説明】
【００１２】
【図１】本考案の第１実施例のベルトの使用状態を示す斜視図である。
【図２】図１のベルトの、折り返し部を閉鎖した状態の（ａ）正面図、（ｂ）側面図、（ｃ）背面図、（ｄ）左側面図、（ｅ）右側面図である。
【図３】図２のベルトの、折り返し部を開放した状態の（ａ）正面図、（ｂ）側面図、（ｃ）背面図、（ｄ）左側面図、（ｅ）右側面図である。
【図４】（ａ）は図２（ｂ）の矢視拡大側面図、（ｂ）は図３（ｂ）の矢視拡大側面図である。
【図５】（ａ）本考案と（ｂ）従来例を比較する正面拡大図である。
【図６】第２実施例のベルトの、折り返し部を閉鎖した状態の（ａ）正面図、（ｂ）側面図、（ｃ）背面図、（ｄ）左側面図、（ｅ）右側面図である。
【考案を実施するための形態】
【００１３】
以下、添付の図面に基づき、本考案の実施例を説明する。
【実施例１】
【００１４】
図１に示すように、本考案のベルト１も、バックルを使用しない従来技術と同様に、ベルト本体２の両端に折り返し部３を設け、その部分で開閉可能としている。この折り返し部３を開放させた状態でズボン類４のベルトループ４１を収納し、その後折り返し部３を閉鎖することにより、ベルトループ４１の収納状態を維持するものである。
【００１５】
図２を参照してさらに詳細に見ると、ベルト本体２は伸縮性を有する織物又は編物製であり、着用者の前面を除く腰回りに装着される長さを有する。使用者の個人差に対応するために、ベルト本体２には長さ調節具２１を設けるのが普通である。
【００１６】
ベルト本体２の両末端には折り返し部３が設けられている。折り返し部３はベルト本体２と別部材であって、縫製によって一体化している。折り返し部３をベルト本体２とは別部材の皮革製としているので、折り返し部３に強度を持たせることができると共に、見栄えの上で好ましい。
【００１７】
折り返し部３は開閉する必要があるので、開閉用の雌雄ボタン３１，３２が折り返し部に設けられている。ボタンの代わりに面ファスナーその他のファスナーを使用してもよい。
【００１８】
図２（ｂ）及び図３（ｂ）に示すように、折り返し部３は外側部材３３と内側部材３４の２部材を重ね合わせ、それぞれの中央部が自由に動く状態にして、前記雌雄ボタン３１，３２で固定している。これらの図から分かるように、外側部材３３は内側部材３４よりも長いので、両者を重ね合わせると、中央部において外側部材３３に余りが生ずる。折り返し部を開放した状態（図４（ｂ）に拡大図を示す）では、外側部材３３は中央部が外方へ膨れる。折り返し部３を閉鎖した状態（図４（ａ）に拡大図を示す）では、内側部材３４の形成する第１の折り曲げ部３６の外方に、外側部材３３が第２の折り曲げ部３５を形成する。
【００１９】
なお、図３（ａ）に示すように、内側部材３４の少なくとも中央部は、内側に切り込みを入れることにより、幅狭部３７としておくことが好ましい。折り返し部３を閉鎖したとき、第１の折り曲げ部３６を外から見えなくするためである。
【００２０】
このベルト１を使用するには、まず、この雌雄ボタン３１，３２を外し、折り返し部３を開放する。続いて内側部材と雌雄ボタン３１，３２取付位置との間にズボン等のベルトループ４１を配置した上で、雌雄ボタン３１，３２を閉じて、折り返し部３を閉鎖する（図５（ａ）参照）。
【００２１】
図５（ａ）の状態では、着用者の動きにより折り返し部３が長手方向中央に向かって引っ張られても、ベルトループ４１は内側部材３４の第１折り曲げ部３６に接触しその位置で留まり、保持される。ベルトループ４１は歪んでも、第２折り曲げ部３５で隠されて外部からはほとんど見えない。そのため、本考案のベルトは見栄えがよくなり、外観が向上する。
【００２２】
それに対して、従来例を示す図４（ｂ）では、第１折り曲げ部に相当するものがないので、折り返し部３Ｘが引っ張られると、直接的にベルトループ４１が引っ張られて、大きく歪む。
【実施例２】
【００２３】
図６は、本考案の第２実施例である。ベルト本体２Ａの両末端には折り返し部３Ａが設けられている。折り返し部３Ａの内側部材３４Ａはベルト本体２Ａと一体化した生地である点で第１実施例と異なる。図示しないが、ベルト本体２Ａと折り返し部３Ａの内側部材３４Ａを一体化させてもよい。
【００２４】
この第２実施例では内側部材３４Ａがベルト本体２Ａと同一部材であるから、伸縮性を有する織物又は編物製であることが通常であり、雌雄ボタン３１Ａ、３２Ａを取り付けるときに強度が不足する場合がある。そのようなときには、雌雄ボタンの周囲に当て板３８、３９をあてがうことが好ましい。
【００２５】
その他の点は第１実施例と同様であるので、第１実施例と同じ部品には第１実施例の符号に「Ａ」を付してその説明を省略する。第２実施例は、第１実施例と較べて、製造工程が簡略化されるという効果が得られる。
【符号の説明】
【００２６】
１，１Ａ      ベルト
２，２Ａ      ベルト本体
２１，２１Ａ         調節具
３．３Ａ      折り返し部
３１，３２；３１Ａ，３２Ａ  雌雄ボタン
３３，３３Ａ         外側部材
３４，３４Ａ         内側部材
３５，３５Ａ        第２折り曲げ部
３６．３６Ａ         第１折り曲げ部
３７   幅狭部
３８、３９  当て板
４     ズボン類
４１   ベルトループ
【先行技術文献】
【特許文献】
【００２７】
【特許文献１】実用新案登録第３０８８５９２号
【特許文献２】特開２００２−２６６１３９
【特許文献３】実用新案登録第３１６３６１１号
【特許文献４】実用新案登録第３１６７７３１号
【図１】
0003177011.tif 000003
【図２】
0003177011.tif 000004
【図３】
0003177011.tif 000005
【図４】
0003177011.tif 000006
【図５】
0003177011.tif 000007
【図６】
0003177011.tif 000008